(57)【要約】【課題】液体を噴霧しても収容体内に大気が流入することなく、しかも、収容体内の液体の全量を噴霧することが可能な噴霧器を提供する。【解決手段】噴霧器１は、噴霧器本体２と、この噴霧器本体２の下側に取り付けられた中空殻形状のハウジング３と、該ハウジング３内に収容された収容体４と、該収容体４の流出部４ａと噴霧器本体２とを繋いでいるチューブ５とを有する。収容体４は、この流出部４ａが下側となるように配置されている。噴霧器本体２は、該チューブ５が下端に接続された吸入路６と、該吸入路６からの液体を吐出路９に送り出す手動式のポンプ７及び該ポンプ８を駆動するためのトリガ８と、該吐出路９の末端が連なるノズル１０とを有する。収容体４は軟質合成樹脂製のフィルムよりなる密閉袋体にて構成されており、内部の液体Ｌが吸い出されるとそれに伴ってしぼみ得るようになっている。【選択図】図１
2005111472.tif 000002
【特許請求の範囲】
【請求項１】
液体を吸引して吐出するポンプ及び該ポンプからの送液を霧状に吐出するノズルを有してなる噴霧器本体と、
該ポンプによって吸い出される液体を収容する、該液体の流出に伴って収縮する軟質な収容体と、
を有する噴霧器において、
該噴霧器本体と収容体とをチューブで接続したことを特徴とする噴霧器。
【請求項２】
請求項１において、該チューブは該収容体の下部に接続されていることを特徴とする噴霧器。
【請求項３】
請求項１又は２において、該ポンプを手動で動かすトリガー又はハンドルが該噴霧器本体に設けられたことを特徴とする噴霧器。
【請求項４】
請求項１ないし３のいずれか１項において、該噴霧器本体は該収容体とチューブのみ、もしくはチューブと柔軟性のある連絡部材のみを介して連結されていることを特徴とする噴霧器。
【請求項５】
請求項４において、該噴霧器本体の外形は片手で把持可能な大きさの板状となっており、該噴霧器本体の板面から該ノズルが突設されていることを特徴とする噴霧器。
【請求項６】
請求項５において、該噴霧器本体のうち該ノズルに隣接する位置に、指によって押圧されるハンドルが設けられていることを特徴とする噴霧器。
【請求項７】
請求項１ないし６のいずれか１項において、該収容体に取っ手又は肩掛け紐が設けられていることを特徴とする噴霧器。
【発明の詳細な説明】
【技術分野】
【０００１】
本発明は、液体を噴霧するための噴霧器に関する。
【背景技術】
【０００２】
液体を噴霧するための噴霧器として、液体を吸引して吐出するポンプ及び該ポンプからの送液を霧状に吐出するノズルを有してなる噴霧器本体と、該ポンプによって吸い出される液体を収容する容器とが一体とされたものが周知である（例えば特開平５−１０４０３９号公報）。
【０００３】
従来の噴霧器の容器は硬質であり、液体が噴霧器本体に吸い出されるときには容器内に大気が入り込む。このため、容器内の液体が大気と接して変質したり、蒸発する。
【０００４】
このような短所を解決するために、硬質容器の代りに軟質フィルム製の袋を噴霧器本体の下部に直付け状に取り付けたものが考えられている。
【特許文献１】特開平５−１０４０３９号公報
【発明の開示】
【発明が解決しようとする課題】
【０００５】
軟質フィルム製の袋を噴霧器本体の下部に直付け状に取り付けてなる噴霧器にあっては、液体残量が減ってくると、液体が袋の下部に残り、袋の上部は袋のフィルム同士が密着した状態となり、液体が噴霧器本体によって吸い出されなくなる。
【０００６】
本発明は、このような問題点を解決し、液体を噴霧しても収容体内に大気が流入することなく、しかも、収容体内の液体の全量を噴霧することが可能な噴霧器を提供することを目的とする。
【課題を解決するための手段】
【０００７】
本発明の噴霧器は、液体を吸引して吐出するポンプ及び該ポンプからの送液を霧状に吐出するノズルを有してなる噴霧器本体と、該ポンプによって吸い出される液体を収容する、該液体の流出に伴って収縮する軟質な収容体と、を有する噴霧器において、該噴霧器本体と収容体とをチューブで接続したことを特徴とするものである。
【０００８】
このチューブは、収容体の下部に接続されていることが望ましい。ポンプを手動で動かすトリガー又はハンドルは、該噴霧器本体に設けられることが好ましい。噴霧器本体は、該収容体とチューブのみ、もしくはチューブと柔軟性のある連絡部材のみを介して連結されていることが好ましい。噴霧器本体の外形は、片手で把持可能な大きさの板状となっており、該噴霧器本体の板面から該ノズルが突設されていることが好ましい。噴霧器本体のうち該ノズルに隣接する位置に、指によって押圧されるハンドルが設けられていることが好ましい。収容体に、取っ手又は肩掛け紐が設けられていることが好ましい。
【発明の効果】
【０００９】
本発明の噴霧器にあっては、液体は軟質な収容体に収容されており、噴霧に伴って収容体から液体が流出すると、それに伴って収容体が収縮する（しぼむ）ので、収容体内に大気が流入しない。このため、収容体内の液体の変質や蒸発が防止ないし抑制される。また、残液量が減少してくると収容体がしぼんでくるので、収容体が不透明である場合であっても、残液量を一目で確認することができる。
【００１０】
なお、収容体の液体流出部が収容体の下側となるようにすることにより、収容体内の液体の残量が少なくなったときでも液体を確実に吸い出して噴霧することができる。また、収容体の下部にチューブ接続口を設け、このチューブ接続口にチューブの先端をワンタッチ方式にて接続可能にすることも可能である。
【００１１】
ポンプは、噴霧器本体に設けられたトリガー又はハンドルを操作して手動で動かすことが好ましい。
【００１２】
噴霧器本体が収容体とチューブのみ、もしくはチューブと柔軟性のある連絡部材のみを介して連結されている場合、重量の大きな収容体を動かすことなく、噴霧器本体のみを自由に動かすことが可能であるため、作業性が良い。この柔軟性のある連絡部材は、ロープ、ゴム、チェーン等、噴霧器本体の動きを妨げるものでなければ何でも良く、その材質や形態は限定されない。
【００１３】
噴霧器本体の外形が片手で把持可能な大きさの板状となっており、該噴霧器本体の板面からノズルが突設されている場合、噴霧器本体を把持し易く、作業性がより向上する。
【００１４】
この噴霧器本体の該ノズルに隣接する位置に、指によって押圧されるハンドルが設けられている場合、噴霧器本体を片手で容易に操作して液体を噴霧することができるため、操作性が極めて向上する。
【００１５】
収容体に取っ手又は肩掛け紐が設けられている場合、噴霧器の持ち運びが容易である。
【発明を実施するための最良の形態】
【００１６】
以下、図面を参照して実施の形態について説明する。図１（ａ），（ｂ）は実施の形態に係る噴霧器の側面図であり、（ａ）図は収容体内に液体が充満している状態を示し、（ｂ）図は液体の約半量が吸い出された状態を示している。
【００１７】
この噴霧器１は、噴霧器本体２と、この噴霧器本体２の下側に取り付けられた中空殻形状のハウジング３と、該ハウジング３内に収容された収容体４と、該収容体４の流出部４ａと噴霧器本体２とを繋いでいるチューブ５とを有する。
【００１８】
収容体４は、この流出部４ａが下側となるように配置されている。
【００１９】
噴霧器本体２は、該チューブ５が下端に接続された吸入路６と、該吸入路６からの液体を吐出路９に送り出す手動式のポンプ７及び該ポンプ７を駆動するためのトリガ８と、該吐出路９の末端が連なるノズル１０とを有する。
【００２０】
ポンプ７には、ピストン式液圧送機構と、該機構の吸入側及び吐出側にそれぞれ設けられたチャッキ弁とが設けられている。このチャッキ弁は、収容体４からノズル１０に向う方向にのみ流体が流れることを許容する。
【００２１】
収容体４は軟質合成樹脂製のフィルムよりなる密閉袋体にて構成されており、内部の液体Ｌが吸い出されるとそれに伴ってしぼみ得るようになっている。ハウジング３は、内部を透視し得るように少なくとも一部、好ましくは全体が透明な合成樹脂よりなる。このハウジング３はねじキャップ１１によって噴霧器本体２に着脱可能に取り付けられている。チューブ５はハウジング３内を引き回されている。なお、ハウジング３の側面又は底面に開閉扉又は着脱可能な蓋付きの開口（図示略）が設けられており、該開口を介して収容体４が出し入れ可能となっている。
【００２２】
このように構成された噴霧器１においては、トリガ８を手前に引くように操作することにより、収容体４内の液体Ｌがノズル１０から噴霧される。収容体４内の液体Ｌの吸い出しに伴って収容体４が収縮する。流出部４ａが収容体４内の下部に配置されているので、液体Ｌの全量が確実に収容体４から吸い出され、噴霧される。
【００２３】
この噴霧器１にあっては、収容体４が収縮可能な密閉袋体よりなるため、液体Ｌが吸い出された場合、収容体４がしぼみ、収容体４内に空気が入り込むことはない。このため、液体Ｌの変質や蒸発が防止される。
【００２４】
この実施の形態にあっては、ハウジング３の少なくとも一部が透明であり、収容体４のしぼみ状況を目視でき、液体残留を確認することができる。また、収容体の大きさ（しぼみ具合）から液体の残留量を知ることができるから、収容体４は透明である必要はない。このため、収容体４を遮光性材料、例えば半透明や不透明な材料製としてもよく、これにより液体の光による劣化や変質を防止することができる。
【００２５】
本発明では、図２のように、チューブ５を収容体４に対しワンタッチ方式にて接続するようにしてもよい。
【００２６】
図２では、チューブ５の先端に、大径のヘッド１２、該ヘッド１２から突設されたニードル１３及び該ニードル１３に外嵌装着されたＯリング１４よりなるワンタッチコネクタ１１が取り付けられている。
【００２７】
流出部４ａには、該ヘッド１２が嵌合する大きさの凹所よりなるヘッド嵌合口１５と、このヘッド嵌合口１５の最奥部に設けられたシール部１６と、このシール部１６によってヘッド嵌合口１５と隔てられた通路１７とを有する。この通路１７は収容体４内に連通している。
【００２８】
このワンタッチコネクタ１１は、ヘッド１２をヘッド嵌合口１５に嵌合させ、ニードル１３をシール部１６に突き刺して通路１７内に差し込むようにして流出部４ａに接続される。
【００２９】
なお、本発明の噴霧器の収容体内に残留塩素濃度５０ｐｐｍの酸性電解水を収容して残留塩素濃度の経日変化を調べたところ、３０日経過しても残留塩素濃度は約４５ｐｐｍと高く維持されていることが認められた。同様なテストを従来の噴霧器について行ったところ、約１２日で残留塩素濃度が０ｐｐｍとなった。
【００３０】
本発明の噴霧器を噴霧テストに用いた場合、収容体内の残液量が２ｃｍ３以下となるまで噴霧可能であることが認められた。
【００３１】
図３は別の実施の形態に係る噴霧器の側面図である。この噴霧器１Ａは、噴霧器本体２Ａと、収容体４Ａと、該収容体４Ａの下部と噴霧器本体２Ａとを繋いでいるチューブ（この実施の形態ではビニールホース等のホース）５Ａを有する。このホース５Ａは柔軟性を有すると共に、水の経路がつぶれない程度の強度を有する。
【００３２】
噴霧器本体２Ａの外形は片手で把持可能な大きさの板状となっており、この噴霧器本体２Ａの板面からノズル１０Ａが突設されている。この噴霧器本体２Ａのうち該ノズル１０Ａに隣接する位置に、指によって押圧されるハンドル８Ａが設けられている。この実施の形態では、このハンドル８Ａはノズル１０Ａの両端に設けられている。噴霧器本体２Ａの側面にホース５Ａが接続されている。
【００３３】
図示は省略するが、噴霧器本体２Ａは、図１と同様、該ホース５Ａが下端に接続された吸入路と、該吸入路からの液体を吐出路に送り出す手動式のポンプとを備えている。該吐出路の末端がノズル１０Ａと連なっている。
【００３４】
ポンプには、ピストン式液圧送機構と、該機構の吸入側及び吐出側にそれぞれ設けられたチャッキ弁とが設けられている。このチャッキ弁は、収容体４Ａからノズル１０Ａに向う方向にのみ流体が流れることを許容する。
【００３５】
収容体４Ａは軟質合成樹脂製のフィルムよりなる密閉袋体にて構成されており、内部の液体Ｌが吸い出されるとそれに伴ってしぼみ得るようになっている。収容体４Ａの上部には、肩掛け紐２０が設けられている。
【００３６】
このように構成された噴霧器１Ａにおいては、噴霧器本体２Ａを片手で把持し、ノズル１０Ａを２本の指で挟み、噴霧器本体２Ａを握ってハンドル８Ａを指で押圧することにより、収容体４Ａ内の液体Ｌがノズル１０Ａから噴霧される。収容体４Ａ内の液体Ｌの吸い出しに伴って収容体４Ａが収縮する。ホース５Ａが収容体４Ａ内の下部に配置されているので、液体Ｌの全量が確実に収容体４Ａから吸い出され、噴霧される。
【００３７】
この噴霧器１Ａにあっては、重量の大きな収容体４Ａを動かすことなく、噴霧器本体２Ａのみを自由に動かすことが可能であるため、作業性が良く、従来は噴霧しづらかった入り組んだ部分にも噴霧できる。また、従来の一体型の噴霧器では手元に噴霧液の荷重がかかってしまい、長時間の作業を続けることができなかったが、本発明では噴霧器本体２Ａの重量しかかからないため、作業者の負担が少ない。
【００３８】
この噴霧器１Ａにあっては、噴霧器本体１Ａを片手で把持し、操作することができるため、操作性に優れている。特に、ノズル１０Ａを薬指と中指の間にはさんで把持することにより、ハンドル８Ａを指で強く押圧することができる。なお、この実施の形態では、ノズル１０Ａの両端にハンドル８Ａを設けたが、これに限定されるものではなく、例えば、ノズル１０Ａを取り巻くようにハンドルを設けてもよい。
【００３９】
収容体４Ａには肩掛け紐２０が設けられているため、噴霧器１Ａの持ち運びに便利である。なお、この肩掛け紐２０が収容体４Ａから着脱可能である場合、収納体４Ａ内の液体Ｌを使い切った後に、収容体４Ａから肩掛け紐２０をはずし、空の収容体４Ａを廃棄し、該肩掛け紐２０を再利用することができる。
【００４０】
なお、本実施の形態では肩掛け紐２０を設けたが、取っ手を設けてもよい。また、収容体４Ａが大型である場合には、収容体４Ａのまわりにハウジングを設け、このハウジングの底部に車輪をつけてもよい。
【００４１】
この噴霧器１Ａにあっても、収容体４Ａが収縮可能な密閉袋体よりなるため、液体Ｌが吸い出された場合、収容体４Ａがしぼみ、収容体４Ａ内に空気が入り込むことはない。このため、液体Ｌの変質や蒸発が防止される。
【００４２】
この実施の形態にあっても、収容体の大きさ（しぼみ具合）から液体の残留量を知ることができるから、収容体４Ａは透明である必要はない。このため、収容体４Ａを遮光性材料、例えば半透明や不透明な材料製としてもよく、これにより液体の光による劣化や変質を防止することができる。
【図面の簡単な説明】
【００４３】
【図１】実施の形態に係る噴霧器の側面図である。
【図２】収容体とチューブとの接続構造の説明図である。
【図３】別の実施の形態に係る噴霧器の側面図である。
【符号の説明】
【００４４】
１，１Ａ  噴霧器
２，２Ａ  噴霧器本体
３  ハウジング
４，４Ａ  収容体
４ａ  流出部
５  チューブ
５Ａ  ホース
７  ポンプ
８  トリガ
８Ａ  ハンドル
１０，１０Ａ  ノズル
２０  肩掛け紐
【図１】
2005111472.tif 000003
【図２】
2005111472.tif 000004
【図３】
2005111472.tif 000005